(57)【特許請求の範囲】
【請求項１】
センタと、
前記センタの下方に配置され、前記センタに平行にのびるねじ軸と、
前記ねじ軸と組み合わされ、前記センタに係合するハンドルとを備え、前記ハンドルを回転させ、前記ねじ軸によって前記ハンドルをねじ送りし、前記センタを軸方向移動させることができ、さらに、
前記ねじ軸およびハンドルを下降させ、前記ハンドルを前記センタから離脱させる離脱手段を備えたことを特徴とする心押台。
【請求項２】
前記センタは本体に支持され、前記離脱手段は支軸からなり、前記本体に設けられ、前記ねじ軸は前記支軸に支持されており、前記ねじ軸およびハンドルを前記支軸のまわりに揺動させ、下降させ、前記ハンドルを前記センタから離脱させるようにしたことを特徴とする請求項１に記載の心押台。
【請求項３】
さらに、カムが前記ねじ軸の下方に配置され、前記本体に支持されており、前記ハンドルが前記センタに係合しているとき、前記ねじ軸は前記カムに支持され、前記ハンドルを前記センタから離脱させるとき、前記カムによって前記ねじ軸を下降させるようにしたことを特徴とする請求項２に記載の心押台。
【請求項４】
さらに、レバーが前記カムに設けられており、前記レバーによって前記カムを回転させることができ、前記ハンドルとセンタの離脱後、前記ねじ軸を再度上昇させ、前記ハンドルを前記センタに係合させたとき、前記レバーの自重またはスプリングが前記カムに作用し、前記カムが自動的に回転し、前記ねじ軸が前記カムに支持されるようにしたことを特徴とする請求項３に記載の心押台。
【発明の詳細な説明】
【技術分野】
【０００１】
この発明は、旋盤、フライス盤などの工作機械の心押台に関するものである。
【背景技術】
【０００２】
工作機械の心押台としてねじ軸を有するものが使用されている。実開昭５４−２６７９０号公報（特許文献１）に記載されているものがそれである。同公報の心押台では、センタが本体に支持され、ねじ軸はセンタの下方に配置され、センタに平行にのび、本体に支持される。さらに、ハンドルがねじ軸と組み合わされ、センタに係合し、ハンドルを回転操作すると、ねじ軸によってハンドルをねじ送りし、センタを軸方向移動させることができ、センタをワークに押し付けることができる。
【０００３】
ところで、この心押台のセンタを軸方向移動させるとき、そのストロークはハンドルのねじ送り長さに制限され、それよりも大きいストロークをもってセンタを軸方向移動させることはできない。一方、たとえば、ワークの端面に孔が形成されているとき、その孔内において、センタをワークに押し付けることが要求される。孔の深さがセンタのストロークよりも大きいことも少なくない。この場合、ねじ軸によってハンドルをねじ送りし、センタを軸方向移動させても、センタを孔に挿入し、ワークに押し付けることはできない。センタを孔に挿入し、ワークに押し付けるには、心押台全体を軸方向移動させる必要がある。センタを孔から抜き出し、ワークから分離させることも同様であり、心押台全体を軸方向移動させねばならず、作業性が悪く、その改善が強く要望されている。
【特許文献１】実開昭５４−２６７９０号公報
【発明の開示】
【０００４】
したがって、この発明は、特別の構成の心押台を新たに提供し、大きいストロークをもってセンタを軸方向移動させることを目的としてなされたものである。
【０００５】
この発明によれば、ねじ軸がセンタの下方に配置される。ねじ軸はセンタに平行にのびる。さらに、ハンドルがねじ軸と組み合わされ、センタに係合し、ハンドルを回転させると、ねじ軸によってハンドルをねじ送りし、センタを軸方向移動させることができる。さらに、離脱手段によってねじ軸およびハンドルを下降させ、ハンドルをセンタから離脱させることができる。
【０００６】
好ましい実施例では、センタは本体に支持される。離脱手段は支軸からなり、本体に設けられ、ねじ軸は支軸に支持される。そして、ねじ軸およびハンドルを支軸のまわりに揺動させ、下降させ、ハンドルをセンタから離脱させることができる。
【０００７】
さらに、好ましい実施例では、カムがねじ軸の下方に配置され、本体に支持され、ハンドルがセンタに係合しているとき、ねじ軸はカムに支持される。したがって、ハンドルをセンタから離脱させるとき、カムによってねじ軸を下降させることができる。
【０００８】
さらに、好ましい実施例では、レバーがカムに設けられ、レバーによってカムを回転させることができる。そして、ハンドルとセンタの離脱後、ねじ軸を再度上昇させ、ハンドルをセンタに係合させたとき、レバーの自重またはスプリングがカムに作用し、カムが自動的に回転し、ねじ軸がカムに支持される。
【発明を実施するための最良の形態】
【０００９】
以下、この発明の実施例を説明する。
【００１０】
図１はこの発明にかかる心押台を示す。この心押台はセンタ１およびねじ軸２を有し、センタ１は本体３に支持され、軸方向移動可能に案内されている。ねじ軸２はセンタ１の下方に配置されており、センタ１に平行にのびる。さらに、ハンドル４がねじ軸２と組み合わされ、センタ１に係合する。この実施例では、ハンドル４はナット状のもので、ねじ軸２にねじ合わされている。さらに、ハンドル４にフランジ５が形成され、センタ１に外周みぞ６が形成され、フランジ５が外周みぞ６に挿入されており、フランジ５および外周みぞ６によってハンドル４とセンタ１が係合する。
【００１１】
したがって、ハンドル４を回転させると、ねじ軸２によってハンドル４をねじ送りし、センタ１を軸方向移動させることができ、図２に示すように、センタ１をワーク７に押し付けることができる。たとえば、ワーク７の端面に孔８が形成されており、孔８内において、センタ１がワーク７に押し付けられる。
【００１２】
さらに、離脱手段によってねじ軸２およびハンドル４を下降させ、ハンドル４をセンタ１から離脱させることができる。この実施例では、センタ１は本体３に支持されていることは前述したとおりであるが、離脱手段は支軸９からなり、本体３に設けられており、ねじ軸２は支軸９に支持されている。そして、図４に示すように、ねじ軸２およびハンドル４を支軸９のまわりに揺動させ、下降させることができる。したがって、フランジ５が外周みぞ６から抜き取られ、ハンドル４がセンタ１から離脱される。
【００１３】
さらに、この心押台では、カム１０がねじ軸２の下方に配置され、本体３に支持されており、ハンドル４がセンタ１に係合しているとき、図３に示すように、ねじ軸２はカム１０に支持される。カム１０はカムみぞ１１を有する。さらに、レバー１２がカム１０に設けられており、レバー１２によってカム１０を回転させることができる。そして、カム１０を図１の反時計方向に回転させると、ねじ軸２がカムみぞ１１に挿入され、支軸９のまわりを揺動し、下降する。
【００１４】
したがって、ハンドル４をセンタ１から離脱させるとき、カム１０によってねじ軸２を下降させることができるものである。その後、ねじ軸２およびハンドル４を支軸９のまわりに揺動させ、再度上昇させると、フランジ５が外周みぞ６に挿入され、ハンドル４がセンタ１に係合する。さらに、ハンドル４とセンタ１の離脱後、ねじ軸２を再度上昇させ、ハンドル４をセンタ１に係合させたとき、レバー１２の自重がカム１０に作用し、カム１０が自動的に回転し、図１の位置に復帰する。したがって、その後、ねじ軸２およびハンドル４を解放すると、ねじ軸２がカム１０に支持され、ハンドル４とセンタ１が係合した状態に保たれる。スプリングをカム１０に作用させ、カム１０が自動的に回転するようにしてもよい。
【００１５】
したがって、この心押台において、ねじ軸２によってハンドル４をねじ送りし、センタ１を軸方向移動させるとき、そのストロークＳはハンドル４のねじ送り長さに制限されるが、ワーク７の端面に孔８が形成され、その深さＤがセンタ１のストロークＳよりも大きくても、問題はない。カム１０によってねじ軸２を下降させ、ハンドル４をセンタ１から離脱させると、ハンドル４のねじ送り長さに関係なく、任意にセンタ１を軸方向移動させることができ、大きいストロークをもってセンタ１を軸方向移動させることができる。
【００１６】
したがって、ハンドル４とセンタ１の離脱後、センタ１を一旦軸方向移動させ、図１の位置から後退させ、ワーク７を図１の位置に配置することができる。その後、センタ１をワーク７に向かって前進させ、孔８内に挿入することができる。
【００１７】
その後、ねじ軸２を再度上昇させ、ハンドル４をセンタ１に係合させることができ、ねじ軸２をカム１０に支持することができる。したがって、その後、ハンドル４を回転させると、ねじ軸２によってハンドル４をねじ送りし、センタ１を軸方向移動させ、センタ１をワーク７に押し付けることができる。
【００１８】
センタ１を孔８から抜き出し、ワーク７から分離させることも同様である。カム１０によってねじ軸２を下降させ、ハンドル４をセンタ１から離脱させると、大きいストロークをもってセンタ１を軸方向移動させることができ、センタ１を孔８から抜き出し、ワーク７から分離させることができる。
【００１９】
したがって、この心押台の場合、大きいストロークをもってセンタ１を軸方向移動させることができ、前記従来のように、心押台全体を軸方向移動させる必要はなく、作業性が高く、所期の目的を達成することができるものである。
【図面の簡単な説明】
【００２０】
【図１】この発明の実施例を示す側面図である。
【図２】図１のセンタがワークに押し付けられた状態を示す側面図である。
【図３】図１のねじ軸とカムの関係を示す断面図である。
【図４】図１のハンドルをセンタから分離させた状態を示す側面図である。
【符号の説明】
【００２１】
１  センタ
２  ねじ軸
３  本体
４  ハンドル
９  支軸
１０  カム
１２  レバー
【図１】
0003704135.tif 000002
【図２】
0003704135.tif 000003
【図３】
0003704135.tif 000004
【図４】
0003704135.tif 000005